(57)【要約】本発明は透明な材料で構成された容器を示す。容器は１つの壁体に格納部を備え、中に気密性かつ中空でその中で粒子が移動できる流体を入れるインサート４が固定されるタイプである。容器はインサート４が前述の流体を収容する皿の形状の本体１３および本体１３の前面の封鎖板１５を含み、封鎖板はその前面を越えて広がって本体１３の周辺に環状部１６を形成し、格納部はインサート４の補完的な形状を示し、この環状部１６の背面１７は接着によって格納部の中でインサート４の固定を保証している。
2006511407.tif 000002
【特許請求の範囲】
【請求項１】
特に透明な製品を収容するための光を通す容器であって、１つの壁体内に格納部を含み、その内部に場合によっては装飾の前で、粒子が移動できる流体を中に収めた気密性かつ中空のインサートを固定したタイプの容器であって、
インサート４が前記流体を収容するための皿の形状の本体１３および本体１３の前面上の封鎖板１５を含み、
封鎖板が本体１３の前面を越えて広がって本体１３の周辺に環状部１６を形成することと、
格納部５がインサート４の補完的な形状を有することと、
その環状部１６の背面１７がインサート４を接着によって格納部５の中に固定することを保証するゾーンを構成することを特徴とする容器。
【請求項２】
格納部５がその深さ方向に、インサート４の環状部１６の厚みにほぼ等しく浅い外方環状部６およびインサートの皿を形成する本体１３の収容部のためのより深い部分７を含む段付きのプロファイルを備えていることを特徴とする、請求項１に記載の容器。
【請求項３】
環状背面１７および／または格納部の補完的環状面１９が、接着剤が見えないようにつや消しされているか、または装飾を備えていることを特徴とする、請求項２に記載の容器。
【請求項４】
格納部を含む壁体３が平面でインサート４の本体１３の収容部側面９、１０が法線方向に対して所定の角度α、βを有して傾斜しており、格納部が外方へ向かって広がっていることを特徴とする、請求項１から３のいずれか１項に記載の容器。
【請求項５】
格納部５が円形の形状をしていることを特徴とする請求項１から４のいずれか１項に記載の容器。
【請求項６】
格納部５の環状部６およびインサート本体１３の収容部７が一定の深さを有することを特徴とする、請求項１から５のいずれか１項に記載の容器。
【請求項７】
格納部の底部８および／または、インサートの底部の壁体２１が前記装飾の少なくとも一部を形成する凹凸のモチーフを有することを特徴とする、請求項１から６のいずれか１項に記載の容器。
【請求項８】
インサートの本体１３がその壁体側壁部にふさぐことが可能な充填用の孔部２２を含んでいることを特徴とする、請求項１から７のいずれか１項に記載の容器。
【請求項９】
格納部５の中でインサート４を位置決めする、有利には突起と、同突起に適合した受容孔タイプの手段を含んでいることを特徴とする、請求項１から８のいずれか１項に記載の容器。
【請求項１０】
封鎖板１５とインサート本体１３を位置決めする、有利には突起と突起の受容孔タイプの手段を含んでいることを特徴とする請求項１から９のいずれか１項に記載の容器。
【発明の詳細な説明】
【技術分野】
【０００１】
本発明は光を通す材料から成り、特に液体などの透明な物質を入れるための容器で、１つの壁体の内部に気密性かつ中空で、場合によっては、装飾の前で粒子が移動できる流体を収容するインサートが固定される格納部を含むタイプの容器に関する。
【背景技術】
【０００２】
大半の発明が開示する、既に知られているこのタイプの容器は、格納部にインサートを配置すると容器の美的品質に有害となり、デラックスな製品の容器と調和しない。
【発明の開示】
【発明が解決しようとする課題】
【０００３】
本発明の目的は上記の従来技術の不都合を緩和する容器を提供することである。
【課題を解決するための手段】
【０００４】
この目的を達成するために、本発明による容器は、インサートが前述の液体を入れるための皿の形状をした本体を含み、本体の前面に封鎖板を備え、封鎖板はこの前面を越えて広がって本体の周囲に環状帯を形成し、格納部がインサートの補完的な形状をして、この環状帯の背面はインサートを格納部に接着して固定することを保証するゾーンを構成することを特徴とする。
【発明の効果】
【０００５】
本発明の１つの特徴によれば、格納部はその深さ方向に浅く、ほぼインサートの環状帯の厚みに等しい外環状部と、皿を形成する本体の収容部となる、より深い部分を含んだ段付きのプロファイルを含んでいる。
【０００６】
本発明のもう１つの特徴によれば、インサートの背面および／または格納部の補完的環状面は接着剤が見えないようにつや消しにされている。
【０００７】
本発明のもう１つの特徴によれば、格納部を含む壁体は平坦で、環状部およびインサートの本体を収容する部分の側面は法線方向に対して所定の角度で傾斜しており、格納部は外方に向かって広がっている。
【０００８】
本発明のもう１つの特徴によれば、格納部は円形状を有する。
【０００９】
本発明のもう１つの特徴によれば、環状部および格納部のインサート本体の収容部は一定の深さを有する。
【００１０】
本発明のもう１つの特徴によれば、格納部の底部および／またはインサートの底部の壁体は少なくとも前述の装飾の一部を成す凹凸のモチーフを有する。
【００１１】
本発明の実施形態を示す例としてのみ与えられた添付の図を参照しながら以下の説明を読めば、本発明はより良く理解され、本発明のその他の目的、特徴、詳細、効果は明確になるであろう。
【発明を実施するための最良の形態】
【００１２】
以下、参照符号１を付けたビンの形状の容器への応用として本発明を説明する。図１から３が示すように、このビンは上または下から見るとほぼ長方形をしており、その角は丸みがついている。このビンはその横の大きな壁体の１つ、即ち壁体３に、その壁体３に作られた円形のくり抜きによって形成された格納部の中に差し込まれたインサート４を含んでいる。このくり抜きは深さ方向に図４ではっきりと見えるように、段付きのプロファイルを有する。くり抜きは深さａの外方環状部６および全体の深さがｂの中央部７を含んでいる。くり抜きの底部８は平坦で、容器の壁体３の外表面と平行に広がっている。くり抜きの環状部の側面９および中央部７の側面１０はそれぞれ所定のαおよびβの角度で傾斜しており、２つの部分は外方へ向かって広がっている。
【００１３】
図５および図６を参照すると、インサート４は格納部３の補完的な形状をしており、プラスチックのような光を通す材料で構成され、液体のような流体を収容する目的の中空本体１３および参照符号１５の中空体の封鎖板である透明な板からなることが認められる。
【００１４】
この板は皿の形状の本体１３の環状前面に固定され、その表面を越えて半径方向に広がり、本体の周囲に環状部１６を形成している。
【００１５】
容器が美的な概観を与える必要があるので、インサートが格納部の中へ比較的小さな所定の許容誤差で入り込めるように、環状部１６の外径および内径は格納部３の環状部６の対応する外部および内部の直径よりもわずかに小さく、本体１３の大きさは格納部の中央部７よりもわずかに小さい。有利には、封鎖板１５の外表面が容器の壁体３の外表面と並ぶようにインサートの環状部１６の厚みは格納部の環状部６の深さよりわずかに小さい。インサートの環状部１６および皿の形状の本体１３の外部側面は、格納部の２つの部分６および７の角度αおよびβに対応する角度を有する。
【００１６】
本発明の有利な特徴によれば、インサートはインサートの環状部１６および格納部の環状部６の相対する面の少なくとも１つに、好ましくは見えない接着剤を使用して接着によって格納部の中に固定されており、環状部１６の固定を可能にする背面は参照符号１７で示され、格納部の底部の対応する面は参照符号１９を付けられている。
【００１７】
面１７または面１９または両方の接着ゾーンが容器を通して見えないように、少なくとも２つの面の１つは、従って、例えばざらざらにするか装飾を付けて、つや消しにして良い。
【００１８】
インサートが環状面１７および１９の位置だけで接着によって格納部に固定されているので、格納部の底部の面２０および／またはインサート本体の対面する底部の壁体２１に必要ならば色付きの、凹凸のあるモチーフを備えることが可能である。このモチーフはインサートを満たす流体の中でインサート内部に備えられたアニメーション手段の装飾または一部を構成して良い。これらの手段は取り扱い、即ち容器の空間的状態の変化に従って流体の中で場所を移動することができるビー玉の形状のエレメントで良い。
【００１９】
格納部の中へのインサートの固定が容器の壁体を通して見えるアニメーションゾーンの外側で実施されるので、インサート内部の空間の高さｃを変化させてアニメーションのエレメントの移動に影響を与えて良い。
【００２０】
本体１３の傾斜した側面および封鎖板はこれらのエレメントの型による製造の際、型からの取り出しを容易にすることに留意すべきである。
【００２１】
さらにインサートを充填し、ふさぐことができる孔部２２がインサート本体の壁体側壁部に作られていることが認められる。
【００２２】
インサートが、突起の適切な受容孔を備えた格納部の中で位置決めされるための、突起を含んで良いことに留意すべきである。
【００２３】
同様にインサート本体の封鎖板の位置決めは突起と受容孔で保証されて良い。
【図面の簡単な説明】
【００２４】
【図１】本発明の容器の立面図である。
【図２】図１の矢印ＩＩの方向から見た立面図である。
【図３】図２の容器の下面図である。
【図４】図２の線ＩＶ−ＩＶ方向からの分割拡大断面図である。
【図５】本発明のインサートの上面図である。
【図６】図５のインサートのＶＩ−ＶＩ線での断面図である。
【符号の説明】
【００２５】
１  ビン
３  壁体
４  インサート
５  格納部
６  格納部の環状部
７  収容部
８  底部
９  環状部の側面
１０  側面
１３  本体
１５  封鎖板
１６  インサートの環状部
１７  背面
１９  環状面
２０  底部の面
２１  底部の壁体
２２  孔部
【図１】
2006511407.tif 000003
【図２】
2006511407.tif 000004
【図３】
2006511407.tif 000005
【図４】
2006511407.tif 000006
【図５】
2006511407.tif 000007
【図６】
2006511407.tif 000008
【国際調査報告】
2006511407.tif 000009
2006511407.tif 000010
2006511407.tif 000011
2006511407.tif 000012
2006511407.tif 000013
2006511407.tif 000014